(57)【要約】【課題】蓄電池の充電及び放電のスケジュールの適否を判定する。【解決手段】ＨＥＭＳ３０は、操作部４８で設定された蓄電池の放電予定時間と充電予定時間との重複した時間帯の有無を判定し、放電予定時間と充電予定時間とに重複した時間帯が存在する場合に当該重複した時間帯を特定する。また、ＨＥＭＳ３０は、放電予定時間と充電予定時間とに重複した時間帯が存在すると判定した場合に、表示部４６に当該重複した時間帯の表示を含む警告を表示する。【選択図】図３
2014007932.tif 000002
【特許請求の範囲】
【請求項１】
蓄電池を放電する放電予定時間及び該蓄電池を充電する充電予定時間を設定する入力が可能な入力手段と、
前記入力手段を介して設定された、前記放電予定時間と前記充電予定時間との重複した時間帯の有無を判定し、前記放電予定時間と前記充電予定時間とに重複した時間帯が存在する場合に該重複した時間帯を特定する充放電時間管理手段と、
前記充放電時間管理手段が前記放電予定時間と前記充電予定時間とに重複した時間帯が存在すると判定した場合に、前記充放電時間管理手段が特定した前記重複した時間帯の表示を含む警告を表示する表示手段と、
を備えた蓄電池充放電制御装置。
【請求項２】
前記充放電時間管理手段は、前記放電予定時間と前記充電予定時間とに重複した時間帯が存在すると判定した場合に、前記放電予定時間及び前記充電予定時間の設定をリセットする請求項１に記載の蓄電池充放電制御装置。
【請求項３】
蓄電池を放電する放電予定時間及び該蓄電池を充電する充電予定時間を設定する入力が可能な入力手段と、
前記入力手段を介して設定された前記放電予定時間及び前記充電予定時間を送信する送信手段と、
前記送信手段が送信した前記放電予定時間及び前記充電予定時間を受信し、前記放電予定時間と前記充電予定時間との重複した時間帯の有無を判定して該判定の結果を送信すると共に、前記放電予定時間と前記充電予定時間とに重複した時間帯が存在する場合には該重複した時間帯を特定して該特定した時間帯の情報を送信する情報センターと、
前記情報センターから情報を受信する受信手段と、
前記受信手段が前記情報センターから前記放電予定時間と前記充電予定時間とに重複した時間帯が存在すると判定した結果及び該重複した時間帯の情報を受信した場合に、該重複した時間帯の表示を含む警告を表示する表示手段と、
を備えた蓄電池充放電制御システム。
【請求項４】
前記情報センターは、時間帯に応じて電気料金の単価が変化する料金プランが前記蓄電池が設けられた建物への電力の供給に適用されている場合に、前記建物に電力を供給する事業者から前記建物の電力の供給に適用されている料金プラン及び該料金プランでの電気料金の単価に係る情報を取得し、前記受信した前記放電予定時間が前記料金プランで電気料金の単価が低廉な時間帯に設定されているか否か又は前記受信した前記充電予定時間が前記料金プランで電気料金が高額な時間帯に設定されているか否かを判定し、前記放電予定時間が前記料金プランで電気料金の単価が低廉な時間帯に設定されている場合は前記放電予定時間を前記料金プランで電気料金の単価が高額な時間帯に設定することを推奨するメッセージを作成し、前記充電予定時間が前記料金プランで電気料金が高額な時間帯に設定されている場合は前記充電予定時間を前記料金プランで電気料金の単価が低廉額な時間帯に設定することを推奨するメッセージを作成すると共に、該作成したメッセージを送信し、
前記表示手段は、前記受信手段が前記情報センターから前記メッセージを受信した場合に、前記メッセージを含む警告を表示する請求項３に記載の蓄電池充放電制御システム。
【請求項５】
前記建物の消費電力量を計測する消費電力量計測手段と、
前記蓄電池を充電又は放電する制御をする充放電制御手段と、
をさらに備え、
前記送信手段は、前記消費電力計測手段が計測した前記建物の消費電力量を前記情報センターに送信し、
前記情報センターは、前記建物の消費電力量が所定の閾値以上の場合で、かつ前記放電予定時間と前記充電予定時間とが重複している場合に、前記放電予定時間と前記充電予定時間とが重複している時間帯での前記蓄電池の充電を禁止する制御の指令を送信し、
前記充放電制御手段は、前記受信手段が前記情報センターから受信した指令に従って前記放電予定時間と前記充電予定時間とが重複している時間帯での前記蓄電池の充電を禁止する請求項３又は４に記載の蓄電池充放電制御システム。
【請求項６】
前記情報センターは、前記建物の消費電力量が所定の閾値以上の場合で、かつ前記放電予定時間と前記充電予定時間とが重複している場合に、前記放電予定時間と前記充電予定時間とが重複している時間帯での前記蓄電池の充電を禁止すると共に前記蓄電池を放電する制御の指令を送信し、
前記充放電制御手段は、前記受信手段が前記情報センターから受信した指令に従って前記放電予定時間と前記充電予定時間とが重複している時間帯での前記蓄電池の充電を禁止すると共に前記蓄電池を放電する請求項５に記載の蓄電池充放電制御システム。
【発明の詳細な説明】
【技術分野】
【０００１】
本発明は、蓄電池の充放電を制御する蓄電池充放電制御装置及び蓄電池充放電制御システムに関する。
【０００２】
以前から、充電時間帯を考慮して蓄電池を充電する装置があった。
【０００３】
例えば、特許文献１には、電気料金情報と、蓄電池の情報とに基づいて充放電のスケジュールを作成し、作成したスケジュールに基づいて蓄電池の充放電を行う蓄電池充放電装置の発明が提案されている。
【先行技術文献】
【特許文献】
【０００４】
【特許文献１】特開２０１０−２６８６０２号公報
【発明の概要】
【０００５】
しかしながら、特許文献１に記載の技術は、作成した充放電のスケジュールの適否を考慮していないという問題があった。
【０００６】
本発明は、上記事実を考慮して成されたもので、設定された蓄電池の充電及び放電のスケジュールの適否を判定する蓄電池充放電制御装置を提供することを目的とする。
【課題を解決するための手段】
【０００７】
上記課題を解決するための請求項１の発明は、蓄電池を放電する放電予定時間及び該蓄電池を充電する充電予定時間を設定する入力が可能な入力手段と、前記入力手段を介して設定された、前記放電予定時間と前記充電予定時間との重複した時間帯の有無を判定し、前記放電予定時間と前記充電予定時間とに重複した時間帯が存在する場合に該重複した時間帯を特定する充放電時間管理手段と、前記充放電時間管理手段が前記放電予定時間と前記充電予定時間とに重複した時間帯が存在すると判定した場合に、前記充放電時間管理手段が特定した前記重複した時間帯の表示を含む警告を表示する表示手段と、を備える。
【０００８】
請求項１に記載の発明によれば、入力手段を介して設定された、放電予定時間と充電予定時間との重複した時間帯の有無を判定することができる。
【０００９】
請求項２の発明は、請求項１に記載の発明において、前記充放電時間管理手段は、前記放電予定時間と前記充電予定時間とに重複した時間帯が存在すると判定した場合に、前記放電予定時間及び前記充電予定時間の設定をリセットする。
【００１０】
請求項２に記載の発明によれば、設定が重複している放電予定時間と充電予定時間とをリセットすることができる。
【００１１】
上記課題を解決するための請求項３の発明は、蓄電池を放電する放電予定時間及び該蓄電池を充電する充電予定時間を設定する入力が可能な入力手段と、前記入力手段を介して設定された前記放電予定時間及び前記充電予定時間を送信する送信手段と、前記送信手段が送信した前記放電予定時間及び前記充電予定時間を受信し、前記放電予定時間と前記充電予定時間との重複した時間帯の有無を判定して該判定の結果を送信すると共に、前記放電予定時間と前記充電予定時間とに重複した時間帯が存在する場合には該重複した時間帯を特定して該特定した時間帯の情報を送信する情報センターと、前記情報センターから情報を受信する受信手段と、前記受信手段が前記情報センターから前記放電予定時間と前記充電予定時間とに重複した時間帯が存在すると判定した結果及び該重複した時間帯の情報を受信した場合に、該重複した時間帯の表示を含む警告を表示する表示手段と、を備える。
【００１２】
請求項３に記載の発明によれば、情報センターにおいて、放電予定時間と充電予定時間との重複した時間帯の有無を判定することができる。
【００１３】
請求項４の発明は、請求項３に記載の発明において、前記情報センターは、時間帯に応じて電気料金の単価が変化する料金プランが前記蓄電池が設けられた建物への電力の供給に適用されている場合に、前記建物に電力を供給する事業者から前記建物の電力の供給に適用されている料金プラン及び該料金プランでの電気料金の単価に係る情報を取得し、前記受信した前記放電予定時間が前記料金プランで電気料金の単価が低廉な時間帯に設定されているか否か又は前記受信した前記充電予定時間が前記料金プランで電気料金が高額な時間帯に設定されているか否かを判定し、前記放電予定時間が前記料金プランで電気料金の単価が低廉な時間帯に設定されている場合は前記放電予定時間を前記料金プランで電気料金の単価が高額な時間帯に設定することを推奨するメッセージを作成し、前記充電予定時間が前記料金プランで電気料金が高額な時間帯に設定されている場合は前記充電予定時間を前記料金プランで電気料金の単価が低廉額な時間帯に設定することを推奨するメッセージを作成すると共に、該作成したメッセージを送信し、前記表示手段は、前記受信手段が前記情報センターから前記メッセージを受信した場合に、前記メッセージを含む警告を表示する。
【００１４】
請求項４に記載の発明によれば、情報センターは、設定された放電予定時間と充電予定時間とが、建物に適用されている電気料金の料金プランにおいてコストメリットがあるか否かを判定することができる。
【００１５】
請求項５の発明は、請求項３又は４に記載の発明において、前記建物の消費電力量を計測する消費電力量計測手段と、前記蓄電池を充電又は放電する制御をする充放電制御手段と、をさらに備え、前記送信手段は、前記消費電力計測手段が計測した前記建物の消費電力量を前記情報センターに送信し、前記情報センターは、前記建物の消費電力量が所定の閾値以上の場合で、かつ前記放電予定時間と前記充電予定時間とが重複している場合に、前記放電予定時間と前記充電予定時間とが重複している時間帯での前記蓄電池の充電を禁止する制御の指令を送信し、前記充放電制御手段は、前記受信手段が前記情報センターから受信した指令に従って前記放電予定時間と前記充電予定時間とが重複している時間帯での前記蓄電池の充電を禁止する。
【００１６】
請求項５に記載の発明によれば、情報センターは、建物における電力の需給が逼迫していると判断した場合に、放電予定時間と充電予定時間とが重複している時間帯において、蓄電池の充電を禁止することができる。
【００１７】
請求項６の発明は、請求項５に記載の発明において、前記情報センターは、前記建物の消費電力量が所定の閾値以上の場合で、かつ前記放電予定時間と前記充電予定時間とが重複している場合に、前記放電予定時間と前記充電予定時間とが重複している時間帯での前記蓄電池の充電を禁止すると共に前記蓄電池を放電する制御の指令を送信し、前記充放電制御手段は、前記受信手段が前記情報センターから受信した指令に従って前記放電予定時間と前記充電予定時間とが重複している時間帯での前記蓄電池の充電を禁止すると共に前記蓄電池を放電する。
【００１８】
請求項６に記載の発明によれば、情報センターは、建物における電力の需給が逼迫していると判断した場合に、放電予定時間と充電予定時間とが重複している時間帯において、蓄電池の充電を禁止すると共に蓄電池を放電することができる。
【発明の効果】
【００１９】
以上説明したように、請求項１に記載の発明は、入力手段を介して設定された、放電予定時間と充電予定時間との重複した時間帯の有無を判定することにより、設定された蓄電池の充電及び放電のスケジュールの適否を判定できるという効果を有する。
【００２０】
請求項２に記載の発明によれば、適切でないと判定された蓄電池の充電及び放電のスケジュールをリセットすることにより、無理な放電又は充電の設定によって蓄電池が損傷することを防止できるという効果を有する。
【００２１】
請求項３に記載の発明によれば、情報センターが放電予定時間と充電予定時間との重複した時間帯の有無を判定することにより、設定された蓄電池の充電及び放電のスケジュールの適否を判定できるという効果を有する。
【００２２】
請求項４に記載の発明によれば、情報センターが、設定された放電予定時間と充電予定時間とが、建物に適用されている電気料金の料金プランにおいてコストメリットがあるか否かを判定することにより、蓄電池の放電予定時間及び充電予定時間を適切に設定することができるという効果を有する。
【００２３】
請求項５に記載の発明によれば、建物における電力の需給が逼迫していると判断した場合に、放電予定時間と充電予定時間とが重複している時間帯において、蓄電池の充電を禁止することにより、建物における消費電力量を削減できるという効果を有する。
【００２４】
請求項６に記載の発明によれば、建物における電力の需給が逼迫していると判断した場合に、放電予定時間と充電予定時間とが重複している時間帯において、蓄電池の充電を禁止と共に蓄電池を放電することにより、建物に蓄電池の電力を供給できるという効果を有する。
【図面の簡単な説明】
【００２５】
【図１】本発明の第1の実施の形態に係る蓄電池充放電制御装置を含むシステムの全体像を示す概略図である。
【図２】電気料金の料金プランの一例の概略を示す図である。
【図３】本発明の第1の実施の形態に係る蓄電池充放電制御装置であるＨＥＭＳの概略構成を示すブロック図である。
【図４】蓄電池の充電予定時間及び放電予定時間の設定の一例を示す図である。
【図５】本発明の第1の実施の形態における充電予定時間及び放電予定時間の設定の適否を判定するフローチャートである。
【図６】本発明の第２の実施の形態に係る蓄電池及び蓄電池制御装置の模式図である。
【図７】本発明の第２の実施の形態における蓄電池の充電及び放電の制御のフローチャートである。
【発明を実施するための形態】
【００２６】
［第1の実施の形態］
以下、図面を参照して本発明の第1の実施の形態の一例を詳細に説明する。図１は、本実施の形態に係る蓄電池充放電制御装置を含むシステムの全体像を示す概略図である。
【００２７】
建物１０には、電力会社から供給される系統電力１２が接続される分電盤１４が設けられており、系統電力１２からの電力が分電盤１４を介して建物１０内に供給されるようになっている。
【００２８】
また、建物１０には太陽光発電装置１６が設けられており、太陽光発電装置１６が発電した電力は、分電盤１４に供給される。
【００２９】
太陽光発電装置１６には、太陽光発電装置１６が発電した直流を分電盤１４から家電機器２０及び住設機器２２に供給される交流（例えば、１００Ｖ、５０Ｈｚ）に変換可能なインバータ等の変換手段（図示せず）が設けられている
【００３０】
太陽光発電装置１６と分電盤１４との間には、太陽光発電装置１６から分電盤１４に供給される電力の電流値及び電圧値を計測可能な太陽光発電電流電圧センサ５４が設けられている。太陽光発電電流電圧センサ５４が計測した電流値及び電圧値は分電盤１４を介して、後述するＨＥＭＳ（Home Energy Management System）３０に送信可能である。
【００３１】
分電盤１４には、複数の電力供給先として、建物１０に設けられた家電機器２０及び住設機器２２等が接続されており、系統電力１２からの電力が供給される。
【００３２】
また、分電盤１４には、系統電力１２及び太陽光発電装置１６から供給された電力を充電できる蓄電池９０と、建物内のエネルギーの管理や制御を行うと共に、蓄電池９０の充放電を制御する蓄電池充放電制御装置であるＨＥＭＳ３０が接続されている。
【００３３】
蓄電池９０には、鉛蓄電池、ニッケル水素電池又はリチウムイオン電池等の、充放電が可能な二次電池が使用される。これらの二次電池の１セルは、起電力が略１〜２Ｖなので、本実施の形態では、複数のセルを直列にして所望の電圧が得られるようにしている。さらに所望の電圧を得られるように直列に接続された複数のセルからなる集合体を複数並列に束ねパッケージ化することで、所望の電流が得られるようにしている。
【００３４】
また、パッケージ化された蓄電池９０には、分電盤１４を介して供給される交流を、蓄電池９０の充電に適した電圧の直流に変換すると共に、蓄電池９０が放電した直流を分電盤１４から家電機器２０及び住設機器２２に供給される交流に変換可能な双方向インバータ等の変換手段（図示せず）が設けられている。
【００３５】
さらに、蓄電池９０は、蓄電池９０の充放電を制御する充放電制御回路（図示せず）を備え、前述のインバータと共に蓄電池制御用インターフェース５６を介してＨＥＭＳ３０によって制御される。
【００３６】
蓄電池制御用インターフェース５６は、制御のインターフェースとしての機能を有すると共に、分電盤１４と蓄電池９０との間を流れる電流及び電力を計測可能なセンサの機能を有する。
【００３７】
また、分電盤１４から家電機器２０及び住設機器２２に電力を供給する回路には電流センサ５２が設けられている。電流センサ５２が計測した電流値及び電圧値は分電盤１４を介して、ＨＥＭＳ３０に送信可能である。
【００３８】
ＨＥＭＳ３０は、分電盤１４の制御及び蓄電池制御用インターフェース５６を介しての蓄電池９０の制御により、系統電力１２、太陽光発電装置１６及び蓄電池９０の電力を建物１０へ供給するため、又は蓄電池９０を充電するための電力の制御を行う。
【００３９】
また、ＨＥＭＳ３０は、電流センサ５２が計測した電流値並びに蓄電池制御用インターフェース５６が計測した電流値及び電圧値に基づいて、建物１０における消費電力量を算出する。
【００４０】
具体的には、家電機器２０及び住設機器２２による消費電力量は電流センサ５２が計測した電流値に、所定の電圧値、例えば１００Ｖを乗算することによって算出する。
【００４１】
また、蓄電池制御用インターフェース５６が計測した蓄電池９０を充電するために分電盤１４から蓄電池９０に供給された電力の電流値及び電圧値から、蓄電池９０の充電による消費電力量を算出する。
【００４２】
次いで、電流センサ５２の計測に基づく消費電力量と、蓄電池制御用インターフェース５６の計測に基づく消費電力量とを合計して、建物１０の消費電力量を算出する。
【００４３】
ＨＥＭＳ３０は、ネットワーク６０を介して情報センター８０と接続され、情報センター８０から系統電力１２の時間帯別に電気料金が異なる料金プランの情報及び系統電力１２の電気料金の単価の情報を取得する。
【００４４】
図２は、電気料金の料金プランの一例の概略を示す図である。図２は、夜間の時間帯に電気料金が低廉となり、昼間の時間帯に電気料金が高額となり、朝及び夕方の時間帯は伝料金が夜間と昼間との中庸に相当する金額となる「３時間帯別電灯」を示している。
【００４５】
各時間帯の電気料金の単価は、一例として、夜間は１０円／ｋＷｈ、昼間は３２円／ｋＷｈ、朝及び夕方は２２円／ｋＷｈとする。
【００４６】
本実施の形態で、ＨＥＭＳ３０は、建物１０の消費電力量と電気料金の単価とに基づいて、建物１０の消費電力量に基づく電気料金を算出することができるものとする。
【００４７】
図３は、本実施の形態に係る蓄電池充放電制御装置であるＨＥＭＳ３０の概略構成を示すブロック図である。
【００４８】
ＨＥＭＳ３０は、コンピュータを含んで構成されており、図３に示すように、ＣＰＵ３６、ＲＯＭ３８、ＲＡＭ４０、及び入出力ポート４２を備えて、これらがアドレスバス、データバス、及び制御バス等のバス４４を介して互いに接続されている。
【００４９】
入出力ポート４２には、各種入出力機器として、表示部４６、操作部４８、及びメモリ５０が接続されている。なお、表示部４６及び操作部４８は一体で構成され、操作部４８は、表示部４６に設けられたタッチパネルを適用することができる。
【００５０】
本実施の形態では、操作部４８の操作によって蓄電池９０を充電する充電予定時間を予め設定可能であって、ＨＥＭＳ３０は、コンピュータが備える計時機能に従って設定された時間になった場合に蓄電池９０を充電する。
【００５１】
メモリ５０には、建物１０へ供給する電力を制御するプログラム及び蓄電池９０の充放電を制御するプログラム等が記憶されている。
【００５２】
さらにメモリ５０には、これらのプログラムを実行するための各種情報等が記憶されている。
【００５３】
ＨＥＭＳ３０は、メモリ５０に記憶されたプログラムをＲＡＭ４０等に展開してＣＰＵ３６で実行することにより、建物１０へ供給する電力の制御等の各種制御を行うようになっている。
【００５４】
さらに、入出力ポート４２には、分電盤１４、蓄電池制御用インターフェース５６及びネットワーク６０を介して情報センター８０との間で情報の送受信が可能なネットワークインターフェース３４等が接続されている。本実施の形態では、電流センサ５２及び太陽光発電電流電圧センサ５４の計測結果は、分電盤１４を介してＨＥＭＳ３０が取得可能であるとする。
【００５５】
図４は、蓄電池９０の充電予定時間及び放電予定時間の設定の一例を示す図である。図４では、１５：００から１７：００の時間帯で充電予定時間と放電予定時間とが重複して設定されている。
【００５６】
図４のように、充電予定時間の設定と放電予定時間の設定とが重複している場合、ＨＥＭＳ３０は、先の設定ではなく、後の設定を優先的に実行する。
【００５７】
ＨＥＭＳ３０をはじめとするコンピュータでは、操作部４８の操作によって設定が追加された場合、メモリ５０に記憶されている所定の設定ファイルに新たな行を設けて、追加された設定に係る事項を記述する。
【００５８】
また、ＨＥＭＳ３０をはじめとするコンピュータは、設定ファイルの各行を読み込んで動作するが、設定ファイルの先の行に記述されている事項よりも、後の行に記述されている事項を優先的に実行する。
【００５９】
そのため、設定ファイルの記述に、先の行と後の行とで矛盾が存在する場合は、後の行に記述された事項が優先的に実行されることになり、ＨＥＭＳ３０は、先の設定ではなく、後の設定を優先的に実行することになる。
【００６０】
従って、例えば、放電予定時間が先に設定された場合は、その後に設定された充電予定時間が優先される。図４の場合では、蓄電池９０の放電は放電が終了する予定時間の前である１５：００に停止され、その後は、充電が優先的に実行される。
【００６１】
本実施の形態では、図４のように充電予定時間の設定と放電予定時間の設定とが重複している場合は、設定が重複していることをユーザに報知する。
【００６２】
図５は、本実施の形態における充電予定時間及び放電予定時間の設定の適否を判定するフローチャートである。
【００６３】
ステップ５００では、蓄電池９０の充電予定時間及び放電予定時間が記述されている設定ファイルを読み込む。
【００６４】
ステップ５０２では、設定ファイルに記述された充電予定時間と放電予定時間とが重複しているか否かを判定する。
【００６５】
ステップ５０２で肯定判定の場合は、ステップ５０４で、設定ファイルに記述されている充電予定時間の行は、放電予定時間の行の後か否かを判定する。
【００６６】
ステップ５０４で肯定判定の場合は、ステップ５０６で充電予定時間と放電予定時間とが重複している旨の警告及び設定ファイルの後の行に記述された充電予定時間の設定が優先される旨のメッセージを表示部４６に表示して処理を終了する。
【００６７】
ステップ５０４で否定判定の場合は、ステップ５０８で充電予定時間と放電予定時間とが重複している旨の警告及び設定ファイルの後の行に記述された放電予定時間の設定が優先される旨のメッセージを表示部４６に表示して処理を終了する。
【００６８】
ステップ５０６及び５０８で表示される警告は、充電予定時間と放電予定時間とが重複している時間帯を含むものであってもよい。
【００６９】
なお、ステップ５０２で否定判定の場合は、充電予定時間と放電予定時間とが重複していないので、表示部４６には警告又は充電予定時間若しくは放電予定時間の設定に係るメッセージを表示することを要しない。
【００７０】
このように、本実施の形態では、蓄電池９０の充電予定時間と放電予定時間とが重複して設定された場合に、設定が重複している旨及び重複している設定のどちらが優先されるかをユーザに報知することができる。
【００７１】
なお、本実施の形態では、設定が重複している旨を報知したが、当該報知と共に、設定ファイルの充電予定時間及び放電予定時間の設定をリセットするようにしてもよい。設定のリセットは、当該報知と同時に行ってもよいが、当該報知に係る表示を所定の時間行った後に設定をリセットするようにしてもよい。
【００７２】
所定の時間は、例えば、数分〜３０分程度でよく、設定をリセットした後は、表示部４６に充電予定時間及び放電予定時間の設定をリセットした旨を表示するようにしてもよい。
【００７３】
充電予定時間及び放電予定時間の設定のリセットは、様々な態様が考えられる。例えば、充電予定時間と放電予定時間とが重複している時間帯の設定を消去するようにしてもよい。
【００７４】
又は、設定ファイルの後の行に記述されている時間帯と重複する前の行の時間帯のみを消去するようにしてもよい。
【００７５】
さらには、充電予定時間及び放電予定時間の設定を完全に消去するようにしてもよい。
【００７６】
また、本実施の形態では、充電予定時間と放電予定時間の重複の有無をＨＥＭＳ３０において判定したが、情報センター８０において行ってもよい。
【００７７】
例えば、ＨＥＭＳ３０は、設定された放電予定時間及び充電予定時間を、ネットワークインターフェース３４を介して情報センター８０に送信する。
【００７８】
情報センター８０は、受信した放電予定時間と充電予定時間との重複した時間帯の有無を判定してその結果をネットワークを介して送信する。放電予定時間と前記充電予定時間とに重複した時間帯が存在する場合には重複した時間帯を特定し、特定した時間帯の情報を送信する。
【００７９】
ＨＥＭＳ３０は、情報センター８０から放電予定時間と充電予定時間とに重複した時間帯が存在すると判定した結果及び当該重複した時間帯の情報を受信した場合に、当該重複した時間帯の表示を含む警告を表示部４６に表示する。
【００８０】
情報センター８０は、時間別電灯の料金プランが建物１０への電力の供給に適用されている場合に、系統電力１２の事業者から建物１０の電力の供給に適用されている料金プラン及び当該料金プランでの電気料金の単価に係る情報を取得するようにしてもよい。
【００８１】
建物１０の電力の供給に適用されている料金プラン及び当該料金プランでの電気料金の単価に係る情報系統電力１２の電力会社から取得してもよいし、建物１０のＨＥＭＳ３０から取得してもよい。
【００８２】
情報センター８０は、ＨＥＭＳ３０から受信した放電予定時間が料金プランで電気料金の単価が低廉な時間帯に設定されているか否か又はＨＥＭＳ３０から受信した充電予定時間が料金プランで電気料金が高額な時間帯に設定されているか否かを判定する。
【００８３】
放電予定時間が料金プランで電気料金の単価が低廉な時間帯に設定されている場合は放電予定時間を前記料金プランで電気料金の単価が高額な時間帯に設定することを推奨するメッセージを作成する。また、充電予定時間が前記料金プランで電気料金が高額な時間帯に設定されている場合は充電予定時間を料金プランで電気料金の単価が低廉額な時間帯に設定することを推奨するメッセージを作成する。
【００８４】
さらに情報センター８０は、作成したメッセージをＨＥＭＳ３０に送信する。
【００８５】
ＨＥＭＳ３０は、情報センター８０からメッセージを受信した場合に、当該メッセージを含んだ充電予定時間と放電予定時間とが重複している旨の警告を表示する。
【００８６】
本実施の形態では、情報センター８０はＨＥＭＳ３０が計測した建物１０の消費電力量が所定の閾値以上の場合で放電予定時間と充電予定時間とが重複している場合に、蓄電池９０の充電を禁止し、蓄電池９０を放電する制御の指令を送信するようにしてもよい。
【００８７】
所定の閾値は、例えば、建物１０の契約アンペアの８５〜９５％に相当する電力量とすることが考えられる。
【００８８】
ＨＥＭＳ３０は、受信した指令に従って放電予定時間と充電予定時間とが重複している時間帯で、蓄電池９０の充電を禁止し、又は蓄電池９０を放電する。
【００８９】
このように、情報センター８０を介することで、ＨＥＭＳ３０の負荷を低減させると共に、電力料金プラン又は建物の消費電力量等を考慮した様々な制御が可能になる。
【００９０】
また、本実施の形態では、太陽光発電を利用した場合にコスト削減が可能となるような蓄電池９０の充電予定時間及び放電予定時間の設定を示唆することも可能である。
【００９１】
例えば、ＨＥＭＳ３０は、太陽光発電電流電圧センサ５４が検知した電流値及び電圧値から算出した太陽光発電装置１６の発電量を、発電した時刻と関連づけて情報センター８０に送信する。
【００９２】
また、ＨＥＭＳ３０は、蓄電池９０の充電に費やした電力量を情報センターに送信する。
【００９３】
情報センター８０は、蓄電池９０の充電に要する電力量にかかるコストを、昼間の時間帯と夜間の時間帯とで算出する。コストは、昼間の場合、太陽光発電装置１６が発電した電力を蓄電池９０の充電に全て使用したとし、不足分を系統電力１２から調達したとして、時間帯別電灯の昼間の時間帯の電気料金の単価に基づいて算出する。
【００９４】
夜間の場合は、時間別電灯の夜間の電気料金の単価に基づいて、蓄電池９０を充電するためのコストを算出する。
【００９５】
その結果、太陽光発電装置１６による電力を使用可能な昼間の時間帯と、電気料金の単価が低廉な夜間の時間帯とのいずれが蓄電池９０の充電予定時間に適切であるかを判定する。判定の精度を高めるために、情報センター８０は、数日〜１週間分の太陽光発電装置１６の発電量及び蓄電池９０の充電に費やした電力量を蓄積しておき、当該蓄積した各電力量の各々の日平均等に基づいて、上述の判定を行うようにしてもよい。
【００９６】
また、情報センター８０は、ＨＥＭＳ３０から送信された蓄電池９０の充電予定時間が適切であると判定された時間帯に属するか否かを判定する。充電予定時間が当該時間帯に属しない場合又は充電予定時間が当該時間帯と重複していない場合は、充電予定時間が適切でない旨の警告及び充電予定時間に適した時間帯を示すメッセージを作成して、ＨＥＭＳ３０に送信する。
【００９７】
情報センター８０は、放電予定時間についても判定を行う。放電予定時間が蓄電池９０を低廉なコストで充電できる時間帯に設定されている場合は、放電予定時間が適切でない旨の警告及び放電予定時間に適した時間帯を示すメッセージを作成して、ＨＥＭＳ３０に送信する。
【００９８】
以上のように、本実施の形態によれば、太陽光発電装置１６の発電量を考慮して、蓄電池９０の充電に要するコストを削減可能な充電予定時間の設定が可能となる。
【００９９】
［第２の実施の形態］
続いて、本発明の第２の実施の形態について説明する。図６は、本実施の形態に係る蓄電池９０及び蓄電池制御装置９２の模式図である。なお、本実施の形態は、蓄電池に係る構成以外は、前述の第１の実施の形態と同様なので、第１の実施の形態と同一の構成についてはその説明を省略する。
【０１００】
本実施の形態では、第１の実施の形態における蓄電池制御用インターフェース５６に代えて、蓄電池用筐体９４内に蓄電池制御装置９２が設けられている。
【０１０１】
また、蓄電池用筐体９４内には蓄電池モジュール９０Ａ、９０Ｂ及び９０Ｃが設けられており、各蓄電池モジュールは、蓄電池制御装置９２の制御によって、各々別個独立に充電又は放電が可能である。
【０１０２】
蓄電池制御装置９２は、蓄電池モジュール９０Ａ〜９０Ｃの充電及び放電を制御すると共に、蓄電池モジュール９０Ａ〜９０Ｃの各々の電圧を検知可能である。ＨＥＭＳ３０は、蓄電池制御装置９２が検知した蓄電池モジュール９０Ａ〜９０Ｃの各々の電圧値から蓄電池モジュール９０Ａ〜９０Ｃの各々の蓄電量を算出可能であるとする。
【０１０３】
蓄電池制御装置９２には、分電盤１４から蓄電池モジュール９０Ａ〜９０Ｃの各々を充電するための電力が供給される電力線と、蓄電池モジュール９０Ａ〜９０Ｃの放電による電力を分電盤１４に供給するための電力線が接続されている。
【０１０４】
充電用の電力線と放電用の電力線とを別個独立に備えることにより、本実施の形態では、蓄電池モジュール９０Ａ〜９０Ｃのいずれかを放電させながら、他の蓄電池モジュールのいずれかを充電することを可能とする。
【０１０５】
また、蓄電池制御装置９２は、分電盤１４を介して供給される交流を、蓄電池モジュール９０Ａ〜９０Ｃの充電に適した電圧の直流に変換可能な双方向インバータ等の変換手段（図示せず）が設けられている。
【０１０６】
双方向インバータ等の変換手段は、蓄電池モジュール９０Ａ〜９０Ｃが放電した直流を分電盤１４から家電機器２０及び住設機器２２に供給される交流に変換することも可能である。
【０１０７】
蓄電池モジュール９０Ａ〜９０Ｃの各々には、鉛蓄電池、ニッケル水素電池又はリチウムイオン電池等の、充放電が可能な二次電池が使用される。これらの二次電池の１セルは、起電力が略１〜２Ｖなので、本実施の形態では、複数のセルを直列にして所望の電圧が得られるようにしている。さらに所望の電圧を得られるように直列に接続された複数のセルからなる集合体を複数並列に束ねモジュール化することで、所望の電流が得られるようにしている。
【０１０８】
本実施の形態では、蓄電池モジュール９０Ａ〜９０Ｃを３個接続しているが、３個以上でも、３個以下でもよく、蓄電池モジュールの個数に特段の限定はない。
【０１０９】
図７は、本実施の形態における蓄電池の充電及び放電の制御のフローチャートである。
【０１１０】
ステップ７００では、充電予定時間及び放電予定時間が記述されている設定ファイルを読み込む。
【０１１１】
ステップ７０２では、設定ファイルに記述された充電予定時間と放電予定時間とが重複しているか否かを判定する。
【０１１２】
ステップ７０２で肯定判定の場合は、ステップ７０４で、蓄電池モジュール９０Ａ〜９０Ｃの蓄電量を計測する。本実施の形態では、各蓄電池モジュールの電圧値を蓄電池制御装置が検知可能であり、当該検知された各蓄電池モジュールの電圧値からＨＥＭＳ３０は、各蓄電池モジュールの蓄電量を算出する。
【０１１３】
ステップ７０６では、蓄電量が最大の蓄電池モジュールと蓄電量が最小の蓄電池モジュールとを特定する。
【０１１４】
ステップ７０８では、設定ファイルに記述されている放電予定時間に従って蓄電量が最大の蓄電池モジュールを放電し、設定ファイルに記述されている充電予定時間に従って蓄電量が最小の蓄電池モジュールを充電して、処理を終了する。
【０１１５】
なお、ステップ７０２で否定判定の場合は、充電予定時間と放電予定時間とが重複していないので、ステップ７１０において、各蓄電池モジュールは、設定ファイルに記述された充電予定時間と放電予定時間とに従って充電又は放電される。
【０１１６】
このように、本実施の形態では、充電予定時間と放電予定時間の設定が重複していても、複数の蓄電池モジュールのうち、蓄電量が多い蓄電池を放電させると共に蓄電量が少ない蓄電池を充電することが可能となる。
【０１１７】
なお、ステップ７０８では、放電予定時間に従って蓄電量が最大の蓄電池モジュールを放電し、充電予定時間に従って蓄電量が最小の蓄電池モジュールを充電する旨を、表示部４６に表示するようにしてもよい。
【符号の説明】
【０１１８】
１０    建物
１２    系統電力
１４    分電盤
１６    太陽光発電装置
２０    家電機器
２２    住設機器
３０    ＨＥＭＳ
３４    ネットワークインターフェース
３６    ＣＰＵ
３８    ＲＯＭ
４０    ＲＡＭ
４６    表示部
４８    操作部
５０    メモリ
５２    電流センサ
５４    太陽光発電電流電圧センサ
５６    蓄電池制御用インターフェース
６０    ネットワーク
８０    情報センター
９０    蓄電池
【図１】
2014007932.tif 000003
【図２】
2014007932.tif 000004
【図３】
2014007932.tif 000005
【図４】
2014007932.tif 000006
【図５】
2014007932.tif 000007
【図６】
2014007932.tif 000008
【図７】
2014007932.tif 000009